【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
定量噴霧式吸入器であって、
製剤を含有する加圧缶であって、該缶は、ばね負荷バルブステムを有する計量バルブをさらに備える、加圧缶と、
該缶を固定して保持する缶ホルダと、
吸入器本体であって、該缶ホルダは、該吸入器本体と摺動可能に係合され、該缶ホルダは、第１の位置と第２の位置との間で移動可能である、吸入器本体と
該缶ホルダに摺動可能に係合される圧縮アセンブリと、
該圧縮アセンブリを該缶ホルダに着脱可能に取り付ける圧縮アセンブリラッチであって、該圧縮アセンブリラッチは、該圧縮アセンブリが該缶ホルダに固定して装着される係合構成と、該圧縮アセンブリが該缶ホルダと摺動可能に係合される係合解除構成とを有する、圧縮アセンブリラッチと、
クレードルラッチであって、該クレードルラッチは、該缶ホルダが該第１の位置に制限される係合構成と、該缶ホルダが、該吸入器本体に沿ったその動きにおいて制限されない係合解除構成と、を有し、
該缶ホルダは、リセットアームをさらに備えている、クレードルラッチと、
カムであって、該カムが第１の位置に配向されると、カムローブが該リセットアームに対して付勢され、該缶ホルダを該第１の位置に押し進め、該カムが第２の位置に配向されると、該カムローブが該圧縮アセンブリに対して付勢され、それにより、該クレードルラッチおよび該圧縮アセンブリラッチが両方とも該係合位置にある場合に、該圧縮アセンブリに機械的エネルギーを貯蔵させるように、該リセットアームと該圧縮アセンブリとの間に位置付けられる、カムと、
ドーズカウンタホイールと
を備え、
該ドーズカウンタホイールは、一方向で戻り止め可能に回転可能であるように適合され、
該缶ホルダは、該ドーズカウンタホイールと係合し、該缶ホルダが該第２の位置から該第１の位置に移動する度に、該ドーズカウンタホイールを増分的に回転させる作動アームをさらに備え、該ドーズカウンタホイールは、該ドーズカウンタホイールが増分的に回転させられる度に、異なる投与量の印を表示するように適合され、そして該ドーズカウンタホイールは、ドロップアウトカムを備え、
該ドロップアウトカムは、該ドーズカウンタホイールが所定の位置となる所定回数の増分的な回転の後に、該圧縮アセンブリラッチを係合解除させるように適合されており、
それにより、該圧縮アセンブリが該カムによってもはや圧縮され得ないことにより、該係合解除位置から該係合位置に缶ホルダを移動するために必要な機械的エネルギーを貯蔵することを防止し、それにより、薬剤の放出を防止する、定量噴霧式吸入器。
【請求項２】
前記クレードルラッチは、手動で係合解除される、請求項１に記載の定量噴霧式吸入器。
【請求項３】
前記クレードルラッチの係合解除は、呼吸作動式である、請求項１に記載の定量噴霧式吸入器。
【請求項４】
前記吸入器本体内で回転するカバーをさらに備え、前記カバーは、前記カムをさらに備えている、請求項１に記載の定量噴霧式吸入器。
【請求項５】
前記圧縮アセンブリは、１つ以上のばねを備えている、請求項１に記載の定量噴霧式吸入器。
【請求項６】
前記圧縮アセンブリラッチは、第１および第２のラッチ部材を備え、該第１のラッチ部材は、前記圧縮アセンブリに固定して装着され、該第２のラッチ部材は、前記缶ホルダに固定して装着され、少なくとも１つの該ラッチ部材は、該圧縮アセンブリおよび該缶ホルダが相互に固定して装着されないように、前記ドロップアウトカムによって間接的または直接的に物理的に変位され得る、請求項１に記載の定量噴霧式吸入器。
【請求項７】
前記ドーズカウンタホイールは、該ドーズカウンタホイールの外周上に数字を有し、前記吸入器は、特定の番号を関心の数字として表示するように適合されている、請求項１に記載の定量噴霧式吸入器。
【請求項８】
前記吸入器は、前記ドーズカウンタホイールの外周上の数字のうちの１つのみが、前記吸入器本体の外側から見えるように適合されている、請求項７に記載の定量噴霧式吸入器。
【請求項９】
薬剤ディスペンサであって、
製剤と、
薬剤貯蔵容器であって、該製剤は、該薬剤貯蔵容器内に含有されている、薬剤貯蔵容器と、
駆動されると、該製剤を該薬剤貯蔵ユニットから分散させる、薬剤分散ユニットと、
ドーズカウンタホイールであって、該ドーズカウンタホイールは、一方向で戻り止め可能に回転可能となるように適合され、該ドーズカウンタホイールは、所定回数の増分的な回転においてはその度増分的に回転させられ得、そして該ドーズカウンタホイールは、ドロップアウトカムを備える、ドーズカウンタホイールと、
該ドーズカウンタホイールを係合し、該薬剤分散ユニットが駆動される度に、該カウンタホイールを増分的に回転させる作動アームと
を備え、
該所定回数の増分的な回転が行われた後に、該ドロップアウトカムは、該薬剤分散ユニットが駆動されるのを防止するように適合されている、薬剤ディスペンサ。
【請求項１０】
前記ドーズカウンタホイール上に配置されている、投与量を数える印をさらに備える、請求項９に記載の薬剤ディスペンサ。
【請求項１１】
前記投与量を数える印は、数字である、請求項１０に記載の薬剤ディスペンサ。
【請求項１２】
前記薬剤ディスペンサの外側から、任意のある時点に、唯一の前記数字が見える、請求項１１に記載の薬剤ディスペンサ。
【手続補正２】
【補正対象書類名】明細書
【補正対象項目名】００１１
【補正方法】変更
【補正の内容】
【００１１】
本発明の上述したならびに他の特徴および利点は、添付図面とともに読まれる以下の例示的実施形態の詳細な説明によって、より明白となる。詳細な説明および図面は、本発明の例示に過ぎず、本発明の範囲を限定するものではない。
本発明は、例えば以下の項目を提供する。
（項目１）
定量噴霧式吸入器であって、
製剤を含有する加圧缶であって、該缶は、ばね負荷バルブステムを有する計量バルブをさらに備える、加圧缶と、
該缶を固定して保持する缶ホルダと、
吸入器本体であって、該缶ホルダは、該吸入器本体と摺動可能に係合され、該缶ホルダは、第１の位置と第２の位置との間で移動可能である、吸入器本体と
該缶ホルダに摺動可能に係合される圧縮アセンブリと、
該圧縮アセンブリを該缶ホルダに着脱可能に取り付ける圧縮アセンブリラッチであって、該圧縮アセンブリラッチは、該圧縮アセンブリが該缶ホルダに固定して装着される係合構成と、該圧縮アセンブリが該缶ホルダと摺動可能に係合される係合解除構成とを有する、圧縮アセンブリラッチと、
缶ラッチであって、該缶ラッチは、該缶ホルダが該第１の位置に制限される係合構成と、該缶ホルダが、該吸入器本体に沿ったその動きにおいて制限されない係合解除構成と、を有し、
該缶ホルダは、リセットアームをさらに備えている、缶ラッチと、
カムであって、該カムが第１の位置に配向されると、カムローブが該リセットアームに対して付勢され、該缶ホルダを該第１の位置に押し進め、該カムが第２の位置に配向されると、該カムローブが該圧縮アセンブリに対して付勢され、それにより、該クレードルラッチおよび該圧縮アセンブリラッチが両方とも該係合位置にある場合に、該圧縮アセンブリに機械的エネルギーを貯蔵させるように、該リセットアームと該圧縮アセンブリとの間に位置付けられる、カムと、
ドーズカウンタホイールと
を備え、
該ドーズカウンタホイールは、一方向で戻り止め可能に回転可能であるように適合され、該缶ホルダは、該ドーズカウンタホイールと係合し、該缶ホルダが該第２の位置から該第１の位置に移動する度に、該ドーズカウンタホイールを増分的に回転させる作動アームをさらに備え、該ドーズカウンタホイールは、該ドーズカウンタホイールが増分的に回転させられる度に、異なる投与量の印を表示するように適合され、該ロックアウトカムは、該ドーズカウンタホイールが所定の位置となる所定回数の増分的な回転の後に、該圧縮アセンブリラッチを係合解除させるように適合されており、
それにより、該缶ラッチが該係合解除位置に配置されると、該圧縮アセンブリが該カムローブによってもはや圧縮され得ないことにより、該第１の位置から該第２の位置に缶ホルダを移動するために必要な機械的エネルギーを貯蔵せず、それにより、薬剤を放出させる、定量噴霧式吸入器。
（項目２）
前記缶ラッチは、手動で係合解除される、項目１に記載の定量噴霧式吸入器。
（項目３）
前記缶ラッチの係合解除は、呼吸作動式である、項目１に記載の定量噴霧式吸入器。
（項目４）
前記吸入器本体内で回転するカバーをさらに備え、前記カバーは、前記カムをさらに備えている、項目１に記載の定量噴霧式吸入器。
（項目５）
前記圧縮アセンブリは、１つ以上のばねを備えている、項目１に記載の定量噴霧式吸入器。
（項目６）
前記圧縮アセンブリラッチは、第１および第２のラッチ部材を備え、該第１のラッチ部材は、前記圧縮アセンブリに固定して装着され、該第２のラッチ部材は、前記缶ホルダに固定して装着され、少なくとも１つの該ラッチ部材は、該圧縮アセンブリおよび該缶ホルダが相互に固定して装着されないように、前記ロックアウトカムによって間接的または直接的に物理的に変位され得る、項目１に記載の定量噴霧式吸入器。
（項目７）
前記ドーズカウンタホイールは、該ドーズカウンタホイールの外周上に数字を有し、前記吸入器は、特定の番号を関心の数字として表示するように適合されている、項目１に記載の定量噴霧式吸入器。
（項目８）
前記吸入器は、前記ドーズカウンタホイールの外周上の数字のうちの１つのみが、前記吸入器本体の外側から見えるように適合されている、項目７に記載の定量噴霧式吸入器。
（項目９）
薬剤ディスペンサであって、
製剤と、
薬剤貯蔵容器であって、該製剤は、該薬剤貯蔵容器内に含有されている、薬剤貯蔵容器と、
駆動されると、該製剤を該薬剤貯蔵ユニットから分散させる、薬剤分散ユニットと、
ドーズカウンタホイールであって、一方向で戻り止め可能に回転可能となるように適合されている、ドーズカウンタホイールと、
該ドーズカウンタホイールを係合し、該薬剤分散ユニットが駆動される度に、該カウンタホイールを増分的に回転させる作動アームと
を備え、
該ドーズカウンタホイールは、該ドーズカウンタホイールが所定の位置に回転されると、該薬剤分散ユニットが駆動されるのを防止するように適合されている、薬剤ディスペンサ。
（項目１０）
前記ドーズカウンタホイール上に配置されている、投与量を数える印をさらに備える、項目９に記載の薬剤ディスペンサ。
（項目１１）
前記投与量を数える印は、数字である、項目１０に記載の薬剤ディスペンサ。
（項目１２）
前記薬剤ディスペンサの外側から、任意のある時点に、唯一の前記数字が見える、項目１１に記載の薬剤ディスペンサ。
【手続補正３】
【補正対象書類名】明細書
【補正対象項目名】００３８
【補正方法】変更
【補正の内容】
【００３８】
（２．マニホールド１７０を摺動可能に係合する）
クレードル１４０の本体から離れて、一対のアームが延在する。それぞれのアームは、マニホールド１７０上の対応する嵌合部（クレードルレール１８０）に係合する摺動部の溝１４５を含む（図４を参照）。
【手続補正４】
【補正対象書類名】明細書
【補正対象項目名】００３９
【補正方法】変更
【補正の内容】
【００３９】
（３．ラッチの一部をマニホールドアセンブリに提供する）
図３に示すクレードルラッチＡ１５５は、トリガ受け１９０（図５を参照）とともに、クレードル１４０をマニホールド１７０に着脱可能に固定するクレードルラッチアセンブリ（図示せず）を形成する。クレードルラッチアセンブリの第２の部分はトリガ受け１９０であり、図５に示すようにトリガポケット１８７内に位置付けられる。パネル１８５は、マニホールド１７０から取り外した状態で示されている。装着ブラケット１８８Ａをパネルポケット１８８Ｂ内に位置付けることにより、パネル１８５は、通常、マニホールド１７０内に位置付けられる。パネル１８５は、図示しないが種々のガスケットおよびシールを介して可撓位置１８６で付勢され、患者の吸気によって発生するベンチュリ効果を利用してマニホールド１７０内に変位することができる。吸入器上の患者の吸気によってパネル１８５が内側に付勢される場合は、トリガ受け１９０がクレードルラッチＡ１５５から係合解除する。このトリガ動作は、通常、ばねアセンブリが圧縮された後に起こる。クレードルラッチアセンブリの係合解除により、ばねアセンブリのばねが伸長し、クレードル１４０を下方に押し下げることにより缶１６７も下方に押し下げ、缶ステム１６８を介して単回投与量の薬剤を缶１６７から放出させる。
【手続補正５】
【補正対象書類名】図面
【補正対象項目名】図３
【補正方法】変更
【補正の内容】
【図３】
2011519667.tif 000001
【手続補正６】
【補正対象書類名】図面
【補正対象項目名】図１２
【補正方法】変更
【補正の内容】
【図１２】
2011519667.tif 000002
【手続補正７】
【補正対象書類名】図面
【補正対象項目名】図１４
【補正方法】変更
【補正の内容】
【図１４】
2011519667.tif 000003
【手続補正８】
【補正対象書類名】図面
【補正対象項目名】図１５
【補正方法】変更
【補正の内容】
【図１５】
2011519667.tif 000004